(57)【要約】【課題】既存のデータ編集用プログラムを利用して簡便に携帯型通信端末のデータを編集管理することができるデータ編集システムを提供する。【解決手段】本発明のデータ編集システムは、携帯電話５０のデータを編集管理するユーザ側ＰＣ１０と、ユーザ側ＰＣ１０で稼動する携帯電話５０のデータを編集管理するためのプログラムや携帯電話の情報を提供するサーバ２０と、サーバ２０及びユーザ側ＰＣ１０を通信可能に接続するインターネット４０と、ユーザ側ＰＣ１０をインターネット４０に接続するプロバイダ３０と、を備えている。【選択図】　図１
2004118603.tif 000002
【特許請求の範囲】
【請求項１】
接続された携帯型通信端末のデータを編集するデータ編集装置であって、
前記携帯型通信端末を接続する接続手段と、
前記接続手段に接続された前記携帯型通信端末のデータを読み込んで編集する携帯情報編集処理手段と、
前記携帯情報編集処理手段で編集された携帯情報を記憶する携帯情報記憶手段と、
を備え、
前記携帯情報編集処理手段は、他のデータ編集プログラムとのインタフェースを提供し、当該他のデータ編集プログラムのデータを前記携帯型通信端末との間で共有する、
ことを特徴とするデータ編集装置。
【請求項２】
さらに、データを入力するための入力手段を備え、
前記携帯情報編集処理手段は、前記入力手段からの入力信号に基づいて、前記携帯型通信端末のキー操作をエミュレーションするキーエミュレーション手段を備える、
ことを特徴とする請求項１記載のデータ編集装置。
【請求項３】
前記携帯型通信端末は、携帯電話であることを特徴とする請求項１又は２記載のデータ編集装置。
【請求項４】
前記接続手段は、ＵＳＢ（Ｕｎｉｖｅｒｓａｌ　Ｓｅｒｉａｌ　Ｂｕｓ）インタフェースである、ことを特徴とする請求項１乃至３記載のデータ編集装置。
【請求項５】
前記携帯情報編集処理手段は、前記携帯型通信端末に保存されている電子メールのデータを前記携帯情報記憶手段に記憶する、ことを特徴とする請求項１乃至４記載のデータ編集装置。
【請求項６】
前記携帯情報編集処理手段は、入力された又は予め記憶されている画像データを前記携帯型通信端末の待ち受け画面として前記携帯型通信端末に登録する、ことを特徴とする請求項１乃至５記載のデータ編集装置。
【請求項７】
さらに、前記携帯情報編集処理手段の機能をコンピュータに実行させるためのプログラムを記憶するユーザ側プログラム記憶手段を備える、ことを特徴とする請求項１乃至６記載のデータ編集装置。
【請求項８】
接続された携帯型通信端末のデータを編集するデータ編集装置と、
前記データ編集装置に接続されるサーバと、
前記データ編集装置と、前記サーバとを通信可能に接続する通信ネットワークと、
を備えた、データ編集システムにおいて、
前記データ編集装置は、前記請求項１乃至６記載のデータ編集装置であり、
前記サーバは、
前記データ編集装置及び前記携帯型通信端末の情報を受け取って処理するユーザ情報編集処理手段と、
前記ユーザ情報編集処理手段で処理された前記データ編集装置及び前記携帯型通信端末の情報、並びに携帯型通信端末に関する情報を記憶するユーザ情報記憶手段と、
前記データ編集装置の前記携帯情報編集処理手段の機能をコンピュータに実行させるための最新バージョンのプログラムを記憶するサーバ側プログラム記憶手段と、
を備え、
前記データ編集装置の前記携帯情報編集処理手段は、前記サーバと接続した際に、前記ユーザ側プログラム記憶手段に記憶されているプログラムと、前記サーバの前記サーバ側プログラム記憶手段に記憶されている前記最新バージョンのプログラムを比較し、前記ユーザ側プログラム記憶手段に記憶されている前記プログラムが前記最新バージョンのプログラムでなかった場合、前記ユーザ側プログラム記憶手段に記憶されている前記プログラムを前記サーバのサーバ側プログラム記憶手段に記憶されている前記最新バージョンのプログラムに更新する、
ことを特徴とするデータ編集システム。
【請求項９】
前記データ編集装置の前記携帯情報編集処理手段は、前記最新バージョンのプログラムの更新を、ファイル単位で行う、ことを特徴とする請求項８記載のデータ編集システム。
【請求項１０】
前記サーバのユーザ情報編集処理手段は、携帯型通信端末に関する情報を前記データ編集装置に送信する、ことを特徴とする請求項８又は９記載のデータ編集システム。
【請求項１１】
前記データ編集装置は、前記携帯型通信端末のデータを前記サーバに送信し、前記サーバの前記ユーザ情報編集処理手段は、前記データ編集装置から受け取った前記携帯型通信端末のデータを前記ユーザ情報記憶手段に記憶する、
ことを特徴とする請求項８乃至１０記載のデータ編集システム。
【請求項１２】
前記サーバの前記ユーザ情報編集処理手段は、前記データ編集装置からの要求に応じて、前記ユーザ情報記憶手段に記憶されている前記携帯型通信端末のデータを前記データ編集装置に送信する、
ことを特徴とする請求項１１記載のデータ編集システム。
【請求項１３】
前記通信ネットワークは、インターネットである、ことを特徴とする請求項８乃至１２記載のデータ編集システム。
【請求項１４】
前記通信ネットワークは、イントラネットである、ことを特徴とする請求項８乃至１２記載のデータ編集システム。
【請求項１５】
前記サーバと前記データ編集装置間の情報の送受信は、Ｗｅｂページによって行う、ことを特徴とする請求項８乃至１４記載のデータ編集システム。
【請求項１６】
コンピュータに携帯型通信端末のデータを編集するアプリケーションを実行させるためのプログラムであって、
前記請求項１乃至７記載のデータ編集装置の機能を、コンピュータに実現させるためのプログラム。
【請求項１７】
コンピュータに携帯型通信端末のデータを編集するアプリケーションを実行させるためのプログラムであって、
前記請求項８乃至１５記載のデータ編集システムの機能を、コンピュータに実現させるためのプログラム。
【発明の詳細な説明】
【０００１】
【発明の属する技術分野】
本発明は、携帯電話やＰＨＳ（Ｐｅｒｓｏｎａｌ　Ｈａｎｄｙ−ｐｈｏｎｅ　Ｓｙｓｔｅｍ）などの携帯型通信端末のデータを編集管理するデータ編集装置、データ編集システム及びデータ編集プログラムに関する。特には、既存のデータ編集用プログラムを利用して簡便に携帯型通信端末のデータを編集管理するデータ編集装置、データ編集システム及びデータ編集プログラムに関する。
【０００２】
【従来の技術】
近年において、コンピュータのハードウェア資源の向上に伴って、ソフトウェアの種類や機能も充実し、１台のコンピュータに多種多様のアプリケーションがインストールされるようになってきている。
【０００３】
このようなコンピュータシステムでは、データの種類に応じて管理し易いように種々のデータ編集管理用のプログラムが存在している。
【０００４】
例えば、携帯電話やＰＨＳ（Ｐｅｒｓｏｎａｌ　Ｈａｎｄｙ−ｐｈｏｎｅ　Ｓｙｓｔｅｍ）などの携帯型通信端末のデータをＰＣ（Ｐｅｒｓｏｎａｌ　Ｃｏｍｐｕｔｅｒ）にバックアップ・データとして保存し、そのデータを編集管理するためのプログラムが存在する。
【０００５】
【発明が解決しようとする課題】
しかしながら、従来の携帯型通信端末のデータを編集管理するプログラムにおいては、当該データの編集管理は、当該プログラムの編集管理機能を用いなければならなかった。このため、既存のデータ編集管理に特化したプログラム、例えば、ＷＯＲＤやＥＸＣＥＬの編集機能を直接利用することができず、充分なデータの管理を行うことができなかった。
【０００６】
従って、本発明の目的は、既存のデータ編集用プログラムを利用して簡便に携帯型通信端末のデータを編集管理することができるデータ編集装置、データ編集システム及びデータ編集プログラムを提供することである。
【０００７】
【課題を解決するための手段】
上記課題を解決するため、本発明のデータ編集装置は、接続された携帯型通信端末のデータを編集するデータ編集装置であって、携帯型通信端末を接続する接続手段と、接続手段に接続された携帯型通信端末のデータを読み込んで編集する携帯情報編集処理手段と、携帯情報編集処理手段で編集された携帯情報を記憶する携帯情報記憶手段と、を備え、携帯情報編集処理手段は、他のデータ編集プログラムとのインタフェースを提供し、当該他のデータ編集プログラムのデータを前記携帯型通信端末との間で共有する、ことを特徴とする。
【０００８】
さらに、データを入力するための入力手段を備え、携帯情報編集処理手段は、入力手段からの入力信号に基づいて、携帯型通信端末のキー操作をエミュレーションするキーエミュレーション手段を備える、ことができる。
【０００９】
また、携帯型通信端末は、携帯電話であり、接続手段は、ＵＳＢ（Ｕｎｉｖｅｒｓａｌ　Ｓｅｒｉａｌ　Ｂｕｓ）インタフェースである、ようにするとよい。
【００１０】
ここで、携帯情報編集処理手段は、携帯型通信端末に保存されている電子メールのデータを携帯情報記憶手段に記憶する、ことができる。
【００１１】
また、携帯情報編集処理手段は、入力された又は予め記憶されている画像データを携帯型通信端末の待ち受け画面として携帯型通信端末に登録する、ことができる。
【００１２】
さらに、携帯情報編集処理手段の機能をコンピュータに実行させるためのプログラムを記憶するユーザ側プログラム記憶手段を備える、ことができる。
【００１３】
また、上記課題を解決するため、本発明のデータ編集システムは、接続された携帯型通信端末のデータを編集するデータ編集装置と、データ編集装置に接続されるサーバと、データ編集装置と、サーバとを通信可能に接続する通信ネットワークと、を備えた、データ編集システムにおいて、データ編集装置は、上述のデータ編集装置であり、サーバは、データ編集装置及び携帯型通信端末の情報を受け取って処理するユーザ情報編集処理手段と、ユーザ情報編集処理手段で処理されたデータ編集装置及び携帯型通信端末の情報、並びに携帯型通信端末に関する情報を記憶するユーザ情報記憶手段と、データ編集装置の携帯情報編集処理手段の機能をコンピュータに実行させるための最新バージョンのプログラムを記憶するサーバ側プログラム記憶手段と、を備え、データ編集装置の携帯情報編集処理手段は、サーバと接続した際に、ユーザ側プログラム記憶手段に記憶されているプログラムと、サーバのサーバ側プログラム記憶手段に記憶されている最新バージョンのプログラムを比較し、ユーザ側プログラム記憶手段に記憶されているプログラムが最新バージョンのプログラムでなかった場合、ユーザ側プログラム記憶手段に記憶されているプログラムをサーバのサーバ側プログラム記憶手段に記憶されている最新バージョンのプログラムに更新する、ことを特徴とする。
【００１４】
ここで、データ編集装置の携帯情報編集処理手段は、最新バージョンのプログラムの更新を、ファイル単位で行う、ことができる。
【００１５】
また、サーバのユーザ情報編集処理手段は、携帯型通信端末に関する情報をデータ編集装置に送信する、ことができる。
【００１６】
ここで、データ編集装置は、携帯型通信端末のデータをサーバに送信し、サーバのユーザ情報編集処理手段は、データ編集装置から受け取った携帯型通信端末のデータをユーザ情報記憶手段に記憶する、ことができる。
【００１７】
また、サーバのユーザ情報編集処理手段は、データ編集装置からの要求に応じて、ユーザ情報記憶手段に記憶されている携帯型通信端末のデータをデータ編集装置に送信する、ことができる。
【００１８】
ここで、通信ネットワークは、インターネット又はイントラネットにするとよい。
【００１９】
このとき、サーバとデータ編集装置間の情報の送受信は、Ｗｅｂページによって行う、ことができる。
【００２０】
また、上記課題を解決するため、本発明の第１の態様のデータ編集プログラムは、コンピュータに携帯型通信端末のデータを編集するアプリケーションを実行させるためのプログラムであって、上述に記載したデータ編集装置の機能を、コンピュータに実現させるためのプログラムであることを特徴とする。
【００２１】
また、上記課題を解決するため、本発明の第２の態様のデータ編集プログラムは、コンピュータに携帯型通信端末のデータを編集するアプリケーションを実行させるためのプログラムであって、上述に記載したデータ編集システムの機能を、コンピュータに実現させるためのプログラムであることを特徴とする。
【００２２】
【発明の実施の形態】
以下、図面を参照して本発明のデータ編集装置、データ編集システム及びデータ編集プログラムの実施の形態を説明する。
【００２３】
図１は、本発明のデータ編集システムの一例を示す図である。図１において、このデータ編集システムは、携帯電話５０のデータを編集管理するユーザ側ＰＣ（Ｐｅｒｓｏｎａｌ　Ｃｏｍｐｕｔｅｒ）１０と、ユーザ側ＰＣ１０で稼動する携帯電話５０のデータを編集管理するためのプログラムや携帯電話の情報を提供するサーバ２０と、サーバ２０及びユーザ側ＰＣ１０を通信可能に接続するインターネット４０と、ユーザ側ＰＣ１０をインターネット４０に接続するプロバイダ３０と、を備えている。
【００２４】
ここで、サーバ２０及びユーザ側ＰＣ１０間の情報の通信は、Ｗｅｂページや電子メールを介して行われる。
【００２５】
また、インターネット４０は、データ通信可能な他のネットワーク、例えば、イントラネットなどであってもよい。
【００２６】
図２は、本発明のデータ編集装置であるユーザ側ＰＣ１０を示す図である。このユーザ側ＰＣ１０は、情報（データやプログラムなどを含む）の通信を制御する通信制御部１１と、携帯電話５０を接続するＩ／Ｏインタフェース１７と、Ｉ／Ｏインタフェース１７に接続された携帯電話５０のデータを読み込んで編集する携帯情報編集処理部１２と、携帯情報編集処理部１２で編集された携帯情報を記憶する携帯情報ＤＢ（Ｄａｔａ　Ｂａｓｅ）１３と、編集内容を表示する表示部１４と、データを入力するための入力部１５と、携帯情報編集処理部１２の機能をユーザ側ＰＣ１０に実行させるためのプログラムを記憶するプログラムＤＢ１６と、データ編集用のプログラム、例えば、ＷＯＲＤ、ＥＸＣＥＬ、Ｏｕｔｌｏｏｋなどのデータ編集プログラム１８と、を備えている。
【００２７】
ここで、携帯情報編集処理部１２は、データ編集プログラム１８とのインタフェースを提供し、当該データ編集プログラム１８のデータを前記携帯電話５０との間で共有する。
【００２８】
これにより、ユーザ側ＰＣ１０と携帯電話５０を専用接続コードでつないでダイレクトにデータ共有できる。従来のプログラムのような面倒なファイル保存は不要になり、アドレス帳だけでなくスケジュールもデータ共有できるようになる。
【００２９】
例えば、Ｏｕｔｌｏｏｋでスケジュールを管理している場合、携帯電話５０とユーザ側ＰＣ１０を繋げて１クリックでスケジュールのデータを共有することができる。これにより、外出先でスケジュールがわからない、ということはなくなり、携帯電話５０をＰＤＡ（Ｐｅｒｓｏｎａｌ　Ｄｉｇｉｔａｌ　Ａｓｓｉｓｔａｎｔ）のように活用することができる。
【００３０】
また、携帯情報編集処理部１２は、入力部１５からの入力信号に基づいて、携帯電話５０のキー操作をエミュレーションするキーエミュレーション機能を備える。
【００３１】
これにより、携帯電話５０の面倒なキー操作がユーザ側ＰＣ１０の入力部１５で操作でき、携帯メール署名設定やお気に入りＵＲＬ（Ｕｎｉｆｏｒｍ　Ｒｅｓｏｕｒｃｅ　Ｌｏｃａｔｏｒｓ）の整理、パケット通信の利用料金確認など携帯電話５０上で文字を入力したり、面倒な設定をユーザ側ＰＣ１０から簡単に設定できる。
【００３２】
また、Ｉ／Ｏインタフェース１７は、ＵＳＢ（Ｕｎｉｖｅｒｓａｌ　Ｓｅｒｉａｌ　Ｂｕｓ）インタフェースにすることができる。
【００３３】
また、携帯情報編集処理部１２は、携帯電話５０に保存されている電子メールのデータを携帯情報ＤＢ１３に記憶する。
【００３４】
これにより、放っておくと消えてしまう携帯電話５０のメールデータを保存、編集することができ、また、プレビュー表示ができるようになる。
【００３５】
また、携帯情報編集処理部１２は、入力された又は予め記憶されている画像データを携帯電話５０の待ち受け画面として携帯電話５０に登録することができる。
【００３６】
これにより、デジカメ写真やお手持ちの画像など、自由に切り取って簡単に携帯電話５０の待ち受け画面にすることができる。
【００３７】
図３は、本発明のデータ編集システムに適用されるサーバ２０を示す図である。このサーバ２０は、情報（データやプログラムなどを含む）の通信を制御する通信制御部２１と、ユーザ側ＰＣ１０及び携帯電話５０の情報を受け取って処理するユーザ情報編集処理部２２と、ユーザ情報編集処理部２２で処理されたユーザ側ＰＣ１０及び携帯電話５０の情報、並びに携帯電話５０などの携帯型通信端末に関する情報を記憶するユーザ情報ＤＢ２３と、ユーザ側ＰＣ１０の携帯情報編集処理部１２の機能をＰＣに実行させるための最新バージョンのプログラムを記憶するプログラムＤＢ２７と、データの編集内容などを表示する表示部２４と、データを入力するための入力部２と、Ｗｅｂページを記憶するＷｅｂＤＢ２６と、を備えている。
【００３８】
図１〜図３において、ユーザ側ＰＣ１０の携帯情報編集処理部１２は、サーバ２０と接続した際に、プログラムＤＢ１６に記憶されているプログラムと、サーバ２０のプログラムＤＢ２７に記憶されている最新バージョンのプログラムを比較し、プログラムＤＢ１６に記憶されているプログラムが最新バージョンのプログラムでなかった場合、プログラムＤＢ１６に記憶されているプログラムをサーバ２０のプログラムＤＢ２７に記憶されている最新バージョンのプログラムに更新する。
【００３９】
これにより、インターネット４０に接続している状態で、最新アップデートファイルの有無を自動的に確認する。ここで、アップデートファイルとは具体的には、新機能データや最新機種対応ファイルなどが含まれる。携帯電話５０を買い換える時に、ユーザはプログラムの編集機能が最新機種に対応しているかどうかを気にする。この機能により、サーバ２０にアップデートファイルがある場合、自動的に確認してダウンロードすることができる。即ち、ユーザ側ＰＣ１０の携帯情報編集処理部１２は、最新バージョンのプログラムの更新を、ファイル単位で行うことができる。
【００４０】
また、サーバ２０のユーザ情報編集処理部２２は、携帯電話５０に関する情報をユーザ側ＰＣ１０に送信する。
【００４１】
ユーザ側ＰＣ１０は、携帯電話５０のデータをサーバ２０に送信し、サーバ２０のユーザ情報編集処理部２２は、ユーザ側ＰＣ１０から受け取った携帯電話５０のデータをユーザ情報ＤＢ２３に記憶する。
【００４２】
また、サーバ２０のユーザ情報編集処理部２２は、ユーザ側ＰＣ１０からの要求に応じて、ユーザ情報ＤＢ２３に記憶されている携帯電話５０のデータをユーザ側ＰＣ１０に送信する。
【００４３】
図４は、本発明のデータ編集システムの他の一例を示す図である。また、図５は、本発明のデータ編集装置であるユーザ側ＰＣ１０の他の一例を示す図である。図４及び図５と、図１及び図２の相違点は、データ通信を携帯電話５０経由で行う点である。
【００４４】
上述において、サーバ２０とユーザ側ＰＣ１０間の情報の送受信は、Ｗｅｂページによって行うことができる。
【００４５】
また、上述に記載したユーザ側ＰＣ１０の機能やデータ編集システムの機能を、コンピュータに実現させるためのプログラムにすることができる。
【００４６】
【発明の効果】
以上述べた通り、本発明のデータ編集装置、データ編集システム及びデータ編集プログラムによれば、既存のデータ編集用プログラムとのインタフェースを備えたため、既存のデータ編集用プログラムを利用して簡便に携帯型通信端末のデータを編集管理することができるようになった。
【図面の簡単な説明】
【図１】本発明のデータ編集システムの一例を示す図である。
【図２】本発明のデータ編集装置であるユーザ側ＰＣの一例を示す図である。
【図３】本発明のデータ編集システムに利用されるサーバの一例を示す図である。
【図４】本発明のデータ編集システムの一例を示す図である。
【図５】本発明のデータ編集装置であるユーザ側ＰＣの一例を示す図である。
【符号の説明】
１０　ユーザ側ＰＣ
１１　通信制御部
１２　携帯情報編集処理部
１３　携帯情報ＤＢ
１４　表示部
１５　入力部
１６　プログラムＤＢ
１７　Ｉ／Ｏインタフェース
１８　データ編集プログラム
２０　サーバ
２１　通信制御部
２２　ユーザ情報編集処理部
２３　ユーザ情報ＤＢ
２４　表示部
２５　入力部
２６　ＷｅｂＤＢ
２７　プログラムＤＢ
３０　プロバイダ
４０　インターネット
５０　携帯電話
【図１】
2004118603.tif 000003
【図２】
2004118603.tif 000004
【図３】
2004118603.tif 000005
【図４】
2004118603.tif 000006
【図５】
2004118603.tif 000007